(57)【要約】【課題】一つのモータで二つの装飾部材をタイミング良く移動できると共に、演出効果の高い演出装置を備えた遊技機を提供する。【解決手段】パチンコ機１は、演出装置３０を遊技盤２の前面に備える。演出装置３０は、第一装飾部材９１、第二装飾部材９２、回転軸、ガイド板、カム板を備える。第一装飾部材９１と第二装飾部材９２は、一つの装飾体を左右に二分割した形状を有する。回転軸は、モータの動力で回転する。ガイド板は、第一装飾部材９１と第二装飾部材９２を支持する筐体部８００の内部に設けられ、第一装飾部材９１と第二装飾部材９２を左右方向に対して斜めに交差する所定方向に移動可能に支持する。カム板は、回転軸の動力を、第一装飾部材９１及び第二装飾部材９２を所定方向において互いに接触及び離間させる動力に変換するので、第一装飾部材９１及び第二装飾部材９２をタイミング良く移動できる。【選択図】図２
2018187242.tif 000002
【特許請求の範囲】
【請求項１】
演出装置を備えた遊技機であって、前記演出装置は、一の装飾体を左右又は上下に二分割した形状を有する二つの装飾部材と、モータの動力で直接的又は間接的に回転する回転軸と、前記二つの装飾部材を左右方向又は上下方向に対して斜めに交差する所定方向に移動可能に支持する支持手段と、前記回転軸の動力を、前記支持手段に支持された前記二つの装飾部材を前記所定方向において互いに接触及び離間させる動力に変換する変換手段とを備えたことを特徴とする遊技機。
【請求項２】
前記二つの装飾部材とは、第一装飾部材と第二装飾部材であって、
前記支持手段は、
前記回転軸を中心に前記径方向に延び、前記回転軸の回転によっては回転しないガイド板を備え、
前記ガイド板は、
前記回転軸側から前記所定方向の一方側に延び、前記第一装飾部材に設けられた第一被案内部を移動可能に案内する第一ガイド穴と、
前記回転軸側から前記所定方向の他方側に延び、前記第二装飾部材に設けられた第二被案内部を移動可能に案内する第二ガイド穴と
を備え、
前記変換手段は、
前記回転軸を中心に前記径方向に延び、前記回転軸と共に回転するカム板を備え、
前記カム板は、
前記第一被案内部を摺動可能に係止させる第一溝カムと、
前記第二被案内部を摺動可能に係止させる第二溝カムと
を備え、
前記二つの装飾部材が互いに接触して前記装飾体を形成する初期状態から前記回転軸が回転する方向を第一方向、その反対方向を第二方向とし、前記初期状態の前記カム板を前記回転軸の軸方向から見た場合に、
前記第一溝カムは、前記第一ガイド穴の前記回転軸側の一端部に対応する位置から前記径方向外側にかけて、前記第一ガイド穴の長さ方向に対して前記第二方向側に傾斜して延設され、
前記第二溝カムは、前記第二ガイド穴の前記回転軸側の一端部に対応する位置から前記径方向外側にかけて、前記第二ガイド穴の長さ方向に対して前記第二方向側に傾斜して延設されていること
を特徴とする請求項１に記載の遊技機。
【請求項３】
前記第一溝カムの前記径方向外側の一端部には、前記第二方向側にさらに屈曲する第一屈曲部が設けられ、
前記第二溝カムの前記径方向外側の一端部には、前記第二方向側にさらに屈曲する第二屈曲部が設けられていること
を特徴とする請求項２に記載の遊技機。
【発明の詳細な説明】
【技術分野】
【０００１】
本発明は遊技機に関する。
【背景技術】
【０００２】
従来、複数の可動演出体を、複数のモータで個別に動作させる遊技機が提案されている（例えば、特許文献１参照）。
【先行技術文献】
【特許文献】
【０００３】
【特許文献１】特開２０１３−２２４６８号公報
【発明の概要】
【発明が解決しようとする課題】
【０００４】
特許文献１に記載の遊技機は、複数の可動演出体を動作させる為に、多くのモータを備えるので、これらモータにかかる費用が増大するという問題点があった。さらに、モータの数が多いので、遊技機に取り付けるスペースを確保することが困難な場合があった。また、遊技状態に合わせて、複数の可動演出体を夫々動作させる必要があるので、モータ制御を効率よく行わなければならなかった。また、各モータの同期がずれた場合、複数の可動演出体の夫々の動作タイミングがずれるので、複数の可動演出体による一体した演出効果が得られなくなるという問題点もあった。
【０００５】
本発明の目的は、一つのモータで二つの装飾部材をタイミング良く移動できると共に、演出効果の高い演出装置を備えた遊技機を提供することにある。
【課題を解決するための手段】
【０００６】
本発明に係る遊技機は、演出装置を備えた遊技機であって、前記演出装置は、一の装飾体を左右又は上下に二分割した形状を有する二つの装飾部材と、モータの動力で直接的又は間接的に回転する回転軸と、前記二つの装飾部材を左右方向又は上下方向に対して斜めに交差する所定方向に移動可能に支持する支持手段と、前記回転軸の動力を、前記支持手段に支持された前記二つの装飾部材を前記所定方向において互いに接触及び離間させる動力に変換する変換手段とを備えたことを特徴とする。
【０００７】
本発明に係る遊技機によれば、二つの装飾部材は、一の装飾体を左右又は上下に二分割した形状を有する。二つの装飾部材は、支持手段によって、左右方向又は上下方向に対して斜めに交差する所定方向に移動可能に支持される。モータの動力で回転軸が回転すると、その動力が変換手段によって、支持手段に支持された二つの装飾部材を所定方向において互いに接触及び離間させる動力に変換される。なお、「接触」とは、面と面が接触することに限らず、互いに隙間を空けて近接した状態も含む概念である。二つの装飾部材が互いに近付いた状態から互いに離れる方向に移動させることで、一の装飾体があたかも分割されたような演出を行うことができる。一のモータの駆動で、二つの装飾部材を移動させる動力に変換するので、二つの装飾部材をタイミング良く移動させることができる。二つの装飾部材は、左右方向又は上下方向に対して斜めに交差する所定方向に移動するので、左右方向又は上下方向において狭い領域においても、演出装置を取り付けることができる。また、仮に一の物体を左右に二分割する場合、通常、左右に二分割された小物体を左右方向にそのまま離れさせるか、若しくは左右に二分割された二つの小物体をある基点を中心に互いに離れるように夫々を回転させて扇形に開くような動きを連想する。これに対し、本発明では、二つの装飾部材が一の装飾体を左右に二分割した形状を有するものであれば、二つの装飾部材を、左右方向に対して斜めに交差する所定方向において互いに接触及び離間させる。即ち、二つの装飾部材の夫々の分割面が互いに上下方向にずれながら斜め方向に離れていくので、遊技者が想定する自然な動きとは違った特殊な動きで、一の装飾体が分割して二つの装飾部材になる過程を表現できる。なお、二つの装飾部材が一の装飾体を上下に二分割した形状を有するものであれば、二つの装飾部材を、上下方向に対して斜めに交差する所定方向において互いに接触及び離間させればよい。即ち、二つの装飾部材の夫々の分割面が互いに左右方向にずれながら斜め方向に離れていくので、遊技者が想定する自然な動きとは違った特殊な動きで、一の装飾体が分割して二つの装飾部材になる動きを表現できる。それ故、本発明は、演出効果の高い演出装置を備えた遊技機を提供できる。
【０００８】
前記二つの装飾部材とは、第一装飾部材と第二装飾部材であって、前記支持手段は、前記回転軸を中心に前記径方向に延び、前記回転軸の回転によっては回転しないガイド板を備え、前記ガイド板は、前記回転軸側から前記所定方向の一方側に延び、前記第一装飾部材に設けられた第一被案内部を移動可能に案内する第一ガイド穴と、前記回転軸側から前記所定方向の他方側に延び、前記第二装飾部材に設けられた第二被案内部を移動可能に案内する第二ガイド穴とを備え、前記変換手段は、前記回転軸を中心に前記径方向に延び、前記回転軸と共に回転するカム板を備え、前記カム板は、前記第一被案内部を摺動可能に係止させる第一溝カムと、前記第二被案内部を摺動可能に係止させる第二溝カムとを備え、前記二つの装飾部材が互いに接触して前記装飾体を形成する初期状態から前記回転軸が回転する方向を第一方向、その反対方向を第二方向とし、前記初期状態の前記カム板を前記回転軸の軸方向から見た場合に、前記第一溝カムは、前記第一ガイド穴の前記回転軸側の一端部に対応する位置から前記径方向外側にかけて、前記第一ガイド穴の長さ方向に対して前記第二方向側に傾斜して延設され、前記第二溝カムは、前記第二ガイド穴の前記回転軸側の一端部に対応する位置から前記径方向外側にかけて、前記第二ガイド穴の長さ方向に対して前記第二方向側に傾斜して延設されているとよい。第一ガイド穴は、ガイド板において、回転軸側から所定方向の一方側に延びている。第二ガイド穴は、ガイド板において、回転軸側から所定方向の他方側に延びている。即ち、第一ガイド穴と第二ガイド穴は、回転軸を中央に挟んで、所定方向に沿って一直線上に配置されている。第一装飾部材の第一被案内部は、ガイド板に設けられた第一ガイド穴の長さ方向に沿って案内される。第二装飾部材の第二被案内部は、ガイド板に設けられた第二ガイド穴の長さ方向に沿って案内される。それ故、第一装飾部材及び第二装飾部材は、ガイド板における回転軸を中央にして、所定方向に移動可能に案内される。ガイド板は、回転軸の回転によっては回転しないので、第一装飾部材と第二装飾部材の夫々の移動軌跡は変わらない。一方、カム板は、回転軸と共に回転するものである。初期状態から回転軸が第一方向に回転すると、カム板も第一方向に回転する。このとき、第一ガイド穴に対して第一溝カムが回転軸を中心に第一方向に回動する。第一溝カムは、第一ガイド穴の一端部に対応する位置から第二方向側に傾斜して延設されている。それ故、第一溝カムが第一方向に回動するにつれて、第一被案内部は第一溝カムによって径方向外側に向けて押し出され、第一ガイド穴に沿って径方向外側である他端部側に移動する。これに対し、第二ガイド穴に対して第二溝カムも回転軸を中心に第一方向に回動する。第二溝カムは、第二ガイド穴の一端部に対応する位置から第二方向側に傾斜して延設されている。それ故、第二溝カムが第二方向に回動するにつれて、第二被案内部は第二溝カムによって径方向外側に向けて押し出され、第二ガイド穴に沿って径方向外側である他端部側に移動する。これにより、第一装飾部材と第二装飾部材を、一つのモータで、所定方向において互いに離れる方向にタイミング良く移動させることができる。
【０００９】
前記第一溝カムの前記径方向外側の一端部には、前記第二方向側にさらに屈曲する第一屈曲部が設けられ、前記第二溝カムの前記径方向外側の一端部には、前記第二方向側にさらに屈曲する第二屈曲部が設けられるとよい。カム板が回転軸と共に第一方向に回転すると、第一装飾部材の第一被案内部は、第一ガイド穴の径方向外側である他端部側まで移動すると共に、第一溝カムの径方向外側である一端部に設けられた第一屈曲部まで移動する。このとき、第一被案内部は、第一ガイド穴の他端部と、第一溝カムの第一屈曲部とに挟まれて保持された状態となる。一方、第二装飾部材の第二被案内部は、第二ガイド穴の径方向外側である他端部側まで移動すると共に、第二溝カムの径方向外側である一端部に設けられた第二屈曲部まで移動する。このとき、第二被案内部は、第二ガイド穴の他端部と、第二溝カムの第二屈曲部とに挟まれて保持された状態となる。これにより、第一装飾部材及び第二装飾部材は、径方向外側に最大限に移動した位置で安定して位置決めできる。
【図面の簡単な説明】
【００１０】
【図１】パチンコ機１の正面図（装飾ユニット８０：初期状態）である。
【図２】パチンコ機１の正面図（装飾ユニット８０：移動状態）である。
【図３】遊技盤２の正面図である。
【図４】演出装置３０の表面側の斜視図である。
【図５】演出装置３０の裏面側の斜視図である。
【図６】演出装置３０の正面図である。
【図７】装飾ユニット８０の斜視図である。
【図８】装飾ユニット８０の正面図である。
【図９】装飾ユニット８０の正面側から見た分解斜視図である。
【図１０】装飾ユニット８０の背面側から見た分解斜視図である。
【図１１】ガイド板１４０の背面図である。
【図１２】カム板１６０の背面図である。
【図１３】第一段階の装飾ユニット８０の内部状態を示す図である。
【図１４】第三段階の装飾ユニット８０の内部状態を示す図である。
【発明を実施するための形態】
【００１１】
以下、本発明に係る遊技機の一実施形態である、所謂一般電役タイプのパチンコ機１について、図面を参照して説明する。以下説明では、図１，図２の手前側、奥側、上側、下側、左側、及び右側を、夫々、パチンコ機１の前側、後側、上側、下側、左側、及び右側とする。その他、図中に矢印で示す左右、前後、上下を使用する。
【００１２】
図１〜図３を参照し、パチンコ機１の機械的構成を説明する。図１に示すように、パチンコ機１の上半分の部分には遊技盤２が設けられる。遊技盤２は正面視略正方形の板状であり（図３参照）、透明なガラス板を保持した前面枠１０によって前面を保護されている。遊技盤２の下部には上皿５が設けられる。上皿５は、発射装置（図示略）に金属製の遊技球を供給し、且つ賞球を受ける。上皿５の上面には、遊技者によって操作される操作ボタン９が設けられる。上皿５の直下には、賞球を受ける下皿６が設けられる。下皿６の右横には、遊技球の発射を調整する発射ハンドル７が設けられる。発射ハンドル７は、遊技者が回転操作できるように設けられ、遊技者が発射ハンドル７を回転させて発射操作を行うと、発射ハンドル７の回転角度に応じた強度で、発射装置によって遊技球が発射される。前面枠１０の上部の左右の角には、スピーカ２６が夫々設けられる。
【００１３】
遊技盤２の前面には、ガイドレール３で囲まれた略円形の遊技領域４が形成されている。発射装置（図示略）によって発射された遊技球は、ガイドレール３によって遊技領域４へ導かれ、遊技領域４内を流下する。遊技領域４の略中央には、各種演出を実行するセンター飾り８が設けられる。センター飾り８の内側の略中央には、表示画面２８が設けられる。表示画面２８は、例えばＬＣＤ等によって構成され、様々な映像を表示する。表示画面２８は、例えば、普通当たり判定の結果を遊技者に報知する演出用の図柄である演出図柄を表示する。さらに、表示画面２８の右方には、第四普通電動装飾体１９が設けられる。また、センター飾り８の内側上部であって、表示画面２８の上部の前側には、所定の演出動作を行う演出装置３０が設けられる。
【００１４】
センター飾り８の左側部の下側には、ワープ通路３１が設けられる。ワープ通路３１は、遊技領域４を流下する遊技球の一部を、センター飾り８の外側から内側へ案内する為の通路である。ワープ通路３１は、球入口３１１と球出口３１２を備える。球入口３１１は、センター飾り８の左側部の上下方向略中央において左方に向けて開口する。球入口３１１は、遊技領域４の左側を流下する遊技球の一部をワープ通路３１に受け入れ可能である。ワープ通路３１は、球入口３１１から右下方に逆Ｓ字状に屈曲しながら右側方に延設され、球入口３１１から進入した遊技球の通路を形成する。球出口３１２は、球入口３１１側の端部とは反対側の端部に設けられ、右方に向けて開口する。球出口３１２は、ワープ通路３１を通過した遊技球を右方に排出可能である。下側部の左右方向の略中央部には、ステージ部３３が設けられる。ワープ通路３１の球出口３１２から排出された遊技球は、ステージ部３３上を左右方向に往復転動し、ステージ部３３の前端部の略中央から遊技領域４へ落下する。
【００１５】
センター飾り８の下側部の左右方向略中央部の下方には、第一図柄作動ゲート１１が設けられる。第一図柄作動ゲート１１の右斜め上方には、第四図柄作動ゲート１３が設けられる。第四図柄作動ゲート１３の右斜め上方には、第一普通電動装飾体１６が設けられる。第一普通電動装飾体１６の左斜め下方には、第二普通電動装飾体１７が設けられる。第二普通電動装飾体１７の左斜め下方には、第三普通電動装飾体１８が設けられる。遊技盤２には、上記以外に各種の電飾ランプ、入賞口、風車、および遊技くぎ等が設けられる。遊技盤２の右下部には、第一普通当たり判定、第二普通当たり判定、第三普通当たり判定、および第四普通当たり判定の結果および各判定における保留球数等を、例えばＬＥＤで表示する図柄表示部２４が設けられる。
【００１６】
演出装置３０は、遊技盤２の背面側に取り付けられる機構盤（図示略）に取り付けられる。演出装置３０は、装飾ユニット８０を、表示画面２８の上方である初期位置に配置する。装飾ユニット８０の前面側には、第一装飾部材９１と第二装飾部材９２が左右に並んで設けられる。第一装飾部材９１と第二装飾部材９２は互いに近接することで、正面視横長の略楕円形状の一つの装飾体９０を形成する。第一装飾部材９１と第二装飾部材９２は、装飾体９０を左右に分割した略半円状に形成される。なお、装飾体９０の前面には、例えば複数の文字で構成される単語又は文章を横書きで形成してもよい。その場合、第一装飾部材９１と第二装飾部材９２が互いに近接して装飾体９０を形成したとき、第一装飾部材９１の前面に形成された文字と、第二装飾部材９２の前面に形成された文字とが横並びに配列することによって、単語又は文章が構成されるようにできるので、装飾体９０としての一体感を強調できる。
【００１７】
演出装置３０は遊技状態に応じて、装飾ユニット８０を初期位置から下方に移動させると、表示画面２８の中央部に差し掛かる手前から、第一装飾部材９１は左斜め上方、第二装飾部材９２は右斜め下方に徐々に移動して離れ、最終的に分離した状態となる。つまり、装飾ユニット８０が下方に移動するにつれ、第一装飾部材９１は上に、第二装飾部材９２は下に互いにずれながら、左右方向に徐々に離れていく。仮に一の物体を左右に二分割する場合、通常、左右に二分割された小物体を左右方向にそのまま離れさせるか、若しくは左右に二分割された二つの小物体をある基点を中心に互いに離れるように夫々を回転させて扇形に開くような動きを連想する。これに対し、本実施形態では、第一装飾部材９１及び第二装飾部材９２を、左右方向に対して斜めに交差する所定方向において互いに接触及び離間させる。即ち、第一装飾部材９１及び第二装飾部材９２の夫々の分割面９１５，９２５が互いに上下方向にずれながら斜め方向に離れていくので、遊技者が想定する自然な動きとは違った特殊な動きで、一の装飾体９０が分割して二つの第一装飾部材９１及び第二装飾部材９２になる過程を表現できる。
【００１８】
さらに、第一装飾部材９１と第二装飾部材９２が互いに離れていくその隙間から、その背面側に位置する面板１００が前方に露出され（図７，図８参照）、面板１００内部に設けた複数のＬＥＤが点灯又は点滅することによって、面板１００全体が光るようになっている。これにより、第一装飾部材９１の分割面９１５と、第二装飾部材９２の分割面９２５が強調されるので、演出効果をより高めることができる。
【００１９】
図４〜図６を参照し、演出装置３０の構造について説明する。なお、図４は、演出装置３０の前面を上方にして寝かせた状態、図５は、演出装置３０の背面側をやや傾けた状態を図示したものである。それ故、パチンコ機１に組み付けた状態の実際の向きとは異なるが、説明の便宜上、パチンコ機１に組み付けたときの方向で、演出装置３０の各種部品を説明する。
【００２０】
演出装置３０は、駆動機構部４０、移動支持部６０、装飾ユニット８０の３つの部位で構成される。駆動機構部４０は、演出装置３０を駆動し、且つ演出装置３０全体を支持する部分である。移動支持部６０は、駆動機構部４０により上下方向に移動されると共に、装飾ユニット８０を遊技盤２の略中央で支持する部分である。移動支持部６０は、正面視逆Ｌ字状に形成されている。装飾ユニット８０は、移動支持部６０の上下動に合わせ、第一装飾部材９１及び第二装飾部材９２を移動する演出動作を行う部分である。演出装置３０は、駆動機構部４０が、遊技盤２の背面側に取り付けられる機構盤（図示略）に螺子で取り付けられることにより、遊技盤２に間接的に固定される。駆動機構部４０は、表示画面２８の左側で、且つセンター飾り８の左側部の背面側に隠れて配置される。それ故、パチンコ機１を正面から見た状態では見えないようになっている。
【００２１】
駆動機構部４０の構造を説明する。駆動機構部４０は、正面視上下方向に長い略直方体状の樹脂製の筐体を備える。図４，図５に示すように、この筐体は、前ケース４１１と後ケース４１２を前後に合わせることで構成され、支持本体部４１とギア格納部４２の２つの部位に分かれる。
【００２２】
支持本体部４１は、正面視上下方向に長い略直方体状に形成されている。図５，図６に示すように、支持本体部４１は、その内側に、上下方向に延びる金属棒であるガイド軸５０と、該ガイド軸５０に沿って上下動する移動支持部６０の左端部を格納する。ガイド軸５０の上端部と下端部は、支持本体部４１の上壁と底壁に夫々固定されている。また、支持本体部４１の上壁の下面には、磁性体である金属板５３が取り付けられる。金属板５３は、ガイド軸５０に沿って上下動する移動支持部６０の上部に埋設された後述する磁石５４と対向する位置関係にある。また、ガイド軸５０の下端部近傍には、右側に一段高く形成された段部５１が設けられ、該段部５１の上面には、ゴム製のストッパ５２が固定されている。
【００２３】
図５，図６に示すように、支持本体部４１の右側面には、該右側面の長手方向に沿って延びる長方形状の開口４６が設けられる。その開口４６の内側からは、移動支持部６０の一部である後述する板状のユニット支持部６２が外側に向かって、支持本体部４１の長手方向に直交する方向に突出している。さらに、その開口４６の開口端の前側を構成する前ケース４１１の右端面には、開口４６の長手方向に対して平行に延びる直線状の直線ギア４５が形成されている。
【００２４】
ギア格納部４２は、支持本体部４１の左側面の略中段位置に、支持本体部４１と内側を連通して設けられ、正面視上下方向に長い略直方体状に形成されている。後ケース４１２のうちギア格納部４２を構成する部分の背面の上側には、略円盤状に後方に隆起する凸状部４２Ａが設けられる。その凸状部４２Ａの下方には、略長方形状に後方に隆起する凸状部４２Ｂが設けられる。凸状部４２Ｂには、略円柱状の取付台２９を介して外側からモータ２７が固定されている。モータ２７は、取付台２９を介して、凸状部４２Ｂの外面に直交する方向に出力軸（図示略）を向けて固定されている。該出力軸は、取付台２９の内部に配置されたギア（図示略）と噛合している。そして、そのギアの回転に伴って回転する回転軸５５が、凸状部４２Ｂに設けた穴（図示略）を介して、ギア格納部４２の内側に延び、その先端部にピニオンギア５６が固定されている。該ピニオンギア５６は、ギア格納部４２の内部の下側に格納され、上記ギア構造により、モータ２７の駆動で回転する。
【００２５】
ギア格納部４２の内部の上側であって、ピニオンギア５６に対して上方に離間する位置には、補助ギア５７が回転自在に格納されている。補助ギア５７は、ピニオンギア５６よりも大径である。ピニオンギア５６と補助ギア５７の夫々の軸方向は、演出装置３０の前後方向に向けられ、互いに平行である。ピニオンギア５６と補助ギア５７は、移動支持部６０の左側面に設けられた後述するラックギア６５（図６参照）と噛合する。ピニオンギア５６は、モータ２７の駆動で移動支持部６０を上下動させ、補助ギア５７は、上下動する移動支持部６０を支持する。これにより、移動支持部６０は安定して上下動することができる。
【００２６】
上記構成を有する駆動機構部４０において、支持本体部４１の上面右側、右側面下部、左側面上部、ギア格納部４２の左側面の下部には、夫々、固定片４７が設けられる。各固定片４７には、固定穴４７Ａが設けられる。各固定穴４７Ａには、螺子（図示略）が挿入され、遊技盤２の背面側に取り付けられる機構盤（図示略）において夫々対応する各固定穴（図示略）に締結される。これにより、機構盤に対して、駆動機構部４０が固定される。
【００２７】
移動支持部６０の構造を説明する。図６に示すように、移動支持部６０は、正面視逆Ｌ字状に形成され、移動本体部６１とユニット支持部６２を備える。移動本体部６１は、駆動機構部４０の支持本体部４１の内側に格納され、モータ２７の駆動で上下動される部位である。ユニット支持部６２は、移動本体部６１の右側面の上半分から、支持本体部４１の開口４６を介して、右側方に突出する部位である。
【００２８】
移動本体部６１は、正面視上下方向に長い略長方形の板状に形成され、その下半分は、下方に向かって先細り状に形成されている。移動本体部６１の左側面は上下方向に平行な平面であり、その左側面には、上下方向に延びる板状のラックギア６５が固定されている。移動本体部６１右側面と、ユニット支持部６２の下面とが連結する円弧状部分には、下方に向けて略台形状に突出する当接部６６が設けられる。当接部６６は、移動支持部６０がガイド軸５０に沿って下方に移動した場合に、支持本体部４１の内側に設けられたストッパ５２に当接する。この時、装飾ユニット８０が、表示画面２８の略中央の位置で停まるようになっている。
【００２９】
移動本体部６１の略中央には、自身の長手方向に沿って、上下方向に延びる被ガイド溝６４が設けられる。被ガイド溝６４には、支持本体部４１の内側に設けられたガイド軸５０が挿入される。これにより、移動支持部６０は、ガイド軸５０に沿って支持本体部４１の内側を上下方向にガイドされる。移動本体部６１の上部には、磁石５４が埋設されている。例えば、移動支持部６０がガイド軸５０の上端部まで移動した場合、磁石５４は、支持本体部４１の上壁の下面に取り付けられた金属板５３に接近する。このとき、磁石５４の磁力により、移動支持部６０は、金属板５３に引きつけられた状態となるので、後述するギア７１，７２にかかる負荷を軽減できる。
【００３０】
ユニット支持部６２は、正面視横長略長方形の板状に形成され、移動本体部６１の右側面の上部から右側方に延設されている。ユニット支持部６２の前面は、前方に開口する断面凹状に形成され、その内側の前面には、２枚のギア７１，７２が横並びに、夫々回転自在に設けられる。ギア７１は、ユニット支持部６２の左側に配置され、支持本体部４１の右側面に設けられた直線ギア４５と噛合する。ギア７２は、ユニット支持部６２の右側に配置され、ギア７１と、装飾ユニット８０の後述するギア１７０とに夫々噛合する。このような構成により、移動支持部６０が上下動すると、位置が固定された直線ギア４５に噛合するギア７１が回転する。ギア７１の回転に伴い、ギア７２が回転することで、装飾ユニット８０のギア１７０が回転する。即ち、ギア１７０は、モータ２７の動力で間接的に回転できる。なお、ユニット支持部６２の前面には、ギア７１，７２を覆うようにして、カバー６２１が取り付けられる。
【００３１】
図５に示すように、ユニット支持部６２の右端部は、右方に向かって先細りになった略台形状に形成され、その先端側の上下の両角部には、一対の固定穴６８が設けられる。ユニット支持部６２の上端部と下端部において、固定穴６８から左側にやや離間する位置には、背面視略三角形状の一対の固定片６７が設けられる。各固定片６７には、固定穴６７Ａが設けられる。各固定穴６８，６７Ａには、螺子（図示略）が挿入され、装飾ユニット８０の後述する後ケース１８０に設けられた固定穴９８，９９（図１０参照）に締結される。これにより、ユニット支持部６２の右端側に、装飾ユニット８０が固定される。
【００３２】
図７〜図１０を参照し、装飾ユニット８０の構造を説明する。図７，図８に示すように、装飾ユニット８０は、筐体部８００、第一装飾部材９１、第二装飾部材９２を備える。筐体部８００は、正面視横方向に長い略楕円形状で、且つ前後方向に厚みのある略円柱状に形成されている。筐体部８００は、後述する前ケース１２０と後ケース１８０を備え、その内側に後述する各種部材を収納する。第一装飾部材９１と第二装飾部材９２は、筐体部８００の前面側に設けられる。第一装飾部材９１は、筺体３００の前面の左側部から左斜め上方に往復移動可能に支持される。第二装飾部材９２は、筺体３００の前面の右側部から右斜め下方に移動可能に支持される。
【００３３】
図９，図１０に示すように、装飾ユニット８０は、前側から順に、第一装飾部材９１、第二装飾部材９２、前ケース１２０、ガイド板１４０、カム板１６０、ギア１７０、後ケース１８０等を備える。さらに、装飾ユニット８０は、前ケース１２０と後ケース１８０の内側に、支持部材１１１，１１２、スライダ１１５，１１６、連結部材１１８，１１９、第一バネ１３１、第二バネ１３２、バネ係止部材１３５，１３６、連結部材１３７，１３８、コロ部材９５Ａ，９５Ｂ，９６Ａ，９６Ｂ，９８Ａ，９８Ｂ、ワッシャ９７等を備える。以下、各種部材の構造、形状等を具体的に説明する。
【００３４】
第一装飾部材９１と第二装飾部材９２の構造を説明する。第一装飾部材９１は、右側に上下方向に延びる分割面９１５を備える正面視略半楕円状に形成される（図８参照）。分割面９１５には、左方に略三角形状に窪んだ凹部９１Ａが形成される。第一装飾部材９１の背面の上部には、後方に突出する略柱状の固定部９１１が設けられる（図１０参照）。固定部９１１は、後述する支持部材１１１に螺子で固定される。固定部９１１の下方には、後方に突出する被ガイド軸９１２が設けられる。
【００３５】
一方、第二装飾部材９２は、左側に上下方向に延びる分割面９２５を備える正面視略半楕円状に形成される（図８参照）。分割面９２５には、左方に略三角形状に突出する凸部９２Ａが形成される。第二装飾部材９２の背面の下部には、後方に突出する略柱状の固定部９２１が設けられる。固定部９２１は、後述する支持部材１１２に螺子で固定される。固定部９２１の下方には、後方に突出する被ガイド軸９２２が設けられる。
【００３６】
第一装飾部材９１と第二装飾部材９２が互いに近接した状態では、凸部９２Ａは、凹部９１Ａの内側に挿入される（図１、図３参照）。つまり、互いに対向する分割面９１５，９２５の一部において、一方が他方に嵌り込むように形成されているので、装飾体９０をより一体的に表現できる。
【００３７】
前ケース１２０の構造を説明する。前ケース１２０は有底円筒状に形成され、正面視横方向に長い略楕円形状の前板１２１と、該前板１２１の外周に沿って後方に立設された周壁１２２とを備える。前板１２１の前面の左右両側を除く略中央部には、前方に向かって膨出する略半球面状の面板１００が固定される（図９参照）。面板１００は透明樹脂で形成され、その内側にＬＥＤ基板（図示略）が設けられる。それ故、ＬＥＤ基板に設けられたＬＥＤを点灯又は点滅させることで、面板１００全体が光るようになっている。
【００３８】
前ケース１２０の外周部の左上部には、溝部１２５が設けられる。溝部１２５は、周壁１２２から前板１２１の中心部に向かって切欠き状且つ直線状に延びる。溝部１２５の内側には、後述する支持部材１１１が外方に向けて出退可能に設けられる。前ケース１２０の外周部の右下部にも、溝部１２６が設けられる。溝部１２６は、周壁１２２から前板１２１の中心部に向かって切欠き状且つ直線状に延びる。溝部１２６の内側には、後述する支持部材１１２が外方に向けて出退可能に設けられる。
【００３９】
前板１２１の背面側の中央部には、円形状の軸穴１２７が設けられる。軸穴１２７には、後述するギア１７０の回転軸１７１の前端部が回転自在に挿入される。軸穴１２７の上方には、後方に突出する略円筒状の支持突起１２７１が設けられる。軸穴１２７の下方には、支持突起１２７２が設けられる。軸穴１２７の左方には、支持突起１２７３が設けられる。軸穴１２７の右方には、支持突起１２７４が設けられる。これら支持突起１２７１〜１２７４の各先端部には、後述するガイド板１４０が位置決めされ、螺子で固定される。
【００４０】
前板１２１の背面側において、溝部１２６の上方で且つ周壁１２２の近傍には、バネ係止部１２８が設けられる。バネ係止部１２８には、後述する第一バネ１３１の一端部１３１Ａが係止される。溝部１２５の下方で且つ周壁１２２の近傍にも、バネ係止部１２９が設けられる。バネ係止部１２９には、後述する第二バネ１３２の一端部１３２Ａが係止される。
【００４１】
前板１２１の左下部には、ガイド穴１２０Ａが設けられる。ガイド穴１２０Ａは、周壁１２２の近傍から右斜め下方に向かって直線状に延び、溝部１２５と略平行である。ガイド穴１２０Ａには、第一装飾部材９１の背面に設けられた被ガイド軸９１２が、ワッシャ９７を介して前方から挿入される。ガイド穴１２０Ａから後方に突出する後端部には、コロ部材９８Ａが固定される。それ故、被ガイド軸９１２は、コロ部材９８Ａを介して、ガイド穴１２０Ａの長手方向に沿ってガイドされる。前板１２１の右上部には、ガイド穴１２０Ｂが設けられる。ガイド穴１２０Ｂは、周壁１２２の近傍から左斜め上方に向かって直線状に延び、溝部１２６と略平行である。ガイド穴１２０Ｂには、第二装飾部材９２の背面に設けられた被ガイド軸９２２が、ワッシャ９７を介して前方から挿入される。ガイド穴１２０Ｂから後方に突出する後端部には、コロ部材９８Ｂが固定される。それ故、被ガイド軸９２２は、コロ部材９８Ｂを介して、ガイド穴１２０Ｂの長手方向に沿ってガイドされる。
【００４２】
図１１を参照し、ガイド板１４０の構造を説明する。なお、図１１はガイド板１４０の背面図であるので、正面から見た場合とは左右の向きが逆である。ガイド板１４０は、正面視横長の略楕円形状に形成される。ガイド板１４０の中心部には、円形状の軸穴１４５が設けられる。軸穴１４５には、ギア１７０の回転軸１７１が回転自在に挿入される。それ故、ガイド板１４０は、回転軸１７５を中心に径方向に延びる。ガイド板１４０には、軸穴１４５を中心に、左上方、右上方、右下方、左下方に向けて延びる４本の直線状のガイド穴１４１〜１４４が略Ｘ字状に設けられる。これらガイド穴１４１〜１４４の夫々の長手方向の両端部は、円弧状に形成される。本実施形態では、ガイド穴１４１〜１４４の軸穴１４５側の一端部を「基端部」、その基端部とは反対側で外側に延びる他端部を「外端部」と呼ぶ。
【００４３】
ガイド穴１４１と１４２に挟まれる間の略中央、ガイド穴１４２と１４３に挟まれる間の略中央、ガイド穴１４３と１４４に挟まれる間の略中央、ガイド穴１４４と１４１に挟まれる間の略中央には、固定穴１４８Ａ〜１４８Ｄが夫々設けられる。これら固定穴１４８Ａ〜１４８Ｄは、上述の前ケース１２０に設けられた支持突起１２７１〜１２７４に位置決めされ、螺子が締結される。それ故、ガイド板１４０は、前ケース１２０の背面側に強固に固定される。
【００４４】
固定穴１４８Ａの上側には、横長の穴部１４９Ａが設けられ、固定穴１４８Ｃの下側には、穴部１４９Ａと同形状の穴部１４９Ｂが設けられる。これら穴部１４９Ａ，１４９Ｂには、前ケース１２０と後ケース１８０を互いに連結する各種部材が夫々挿入される。ガイド板１４０の背面において、穴部１４９Ａのガイド穴１４１側であって、ガイド板１４０の外周縁部の近傍には、後方に突出する短柱状の突起部１４６が設けられる。穴部１４９Ｂのガイド穴１４３側であって、ガイド板１４０の外周縁部の近傍にも、後方に突出する短柱状の突起部１４７が設けられる。突起部１４６，１４７は、後述するカム板１６０の回動範囲を規制する。
【００４５】
図１２を参照し、カム板１６０の構造を説明する。なお、図１２はカム板１６０の背面図であるので、正面から見た場合とは左右の向きが逆である。カム板１６０は、正面視略長方形状に形成される。カム板１６０の中心部には、円形状の軸穴１６５が設けられる。軸穴１６５には、ギア１７０の回転軸１７１が回転自在に挿入される。それ故、カム板１６０は、回転軸１７５を中心に径方向に延びる。カム板１６０は、筐体部８００の内側で且つガイド板１４０の後方において、回転軸１７１を中心に回転可能に支持される。
【００４６】
カム板１６０において、軸穴１６５の左方には溝カム１６１が設けられ、軸穴１６５の上方には溝カム１６２が設けられ、軸穴１６５の右方には溝カム１６３が設けられ、軸穴１６５の下方には溝カム１６４が設けられる。これら４本の溝カム１６１〜１６４は、軸穴１６５とカム板１６０の外縁部との間において、背面視時計回り（本発明の「第二方向」の一例）側に傾斜して延びる。さらに、溝カム１６１〜１６４の軸穴１６５側の夫々の一端部（以下、「基端部」と呼ぶ）の位置は、軸穴１６５に対して、反時計回り（本発明の「第一方向」の一例）にずれている。溝カム１６１〜１６４は、長手方向の略中央部分が背面視反時計回り側に若干膨らむ略円弧状に形成される。
【００４７】
溝カム１６１〜１６４の夫々の基端部とは反対側の他端部には、背面視時計回り側に屈曲する屈曲部１６１Ａ〜１６４Ａが設けられる。カム板１６０の背面において、溝カム１６３の基端部と溝カム１６４の基端部の間であって、軸穴１６５の近傍には、後方に突出する短柱状の被当接部１６７が設けられる。被当接部１６７には、ギア１７０の回転軸１７１に設けられた後述する係止部１７２（図６，図１３参照）が当接し、軸穴１６５を中心に回転する軌跡の一方又は他方に付勢されることで、カム板１６０が回転するようになっている。
【００４８】
カム板１６０の外周部において、溝カム１６２の屈曲部１６２Ａ近傍の角部には、左斜め上方に突出する略円弧状の当接部１６８が設けられる。溝カム１６４の屈曲部１６４Ａ近傍の角部には、右斜め下方に突出する略円弧状の当接部１６９が設けられる。溝カム１６１に沿う部分には、緩やかに外側に膨らむ外側部１６１Ｂが設けられ、溝カム１６３に沿う部分には、緩やかに外側に膨らむ外側部１６３Ｂが設けられる。
【００４９】
ギア１７０の構造を説明する。ギア１７０は、中央に軸穴（図示略）を備え、該軸穴には、回転軸１７１の一端部が挿入され、螺子で固定される。回転軸１７１は前方に延びる。ギア１７０の前面における軸穴の近傍には、前方に突出する柱状の係止部１７２（図６，図９，図１３参照）が設けられる。係止部１７２は、回転軸１７１を中心にギア１７０と一体して回動する。例えば、ギア１７０が背面視反時計回りに回転した場合、係止部１７２は、カム板１６０の背面に設けられた被当接部１６７に当接して反時計回りに付勢する。これにより、演出装置３０は、カム板１６０を、回転軸１７１を中心に反時計回りに回転させることができる。
【００５０】
後ケース１８０の構造を説明する。後ケース１８０は有底円筒状に形成され、背面視横方向に長い略楕円形状の底板１８１と、該底板１８１の外周に沿って前方に立設された周壁１８２とを備える。底板１８１の略中央部には、ギア配置部１８３が設けられる。ギア配置部１８３は、後方に向かって凸状に膨らむ背面視略半円形状に形成される。ギア配置部１８３の底部中央には、軸穴１８４が設けられる。軸穴１８４には、ギア１７０の回転軸１７１が回転自在に挿入される。ギア配置部１８３の左側には、開口部１８９が設けられる。開口部１８９は、ギア配置部１８３の内側に配置されるギア１７０の一部を外部に露出させる。それ故、演出装置３０は、ギア１７０に対し、移動支持部６０のユニット支持部６２に設けられたギア７２（図６参照）を噛合できる。
【００５１】
後ケース１８０を後方から見た場合に、開口部１８９の上縁部と下縁部であって、ギア配置部１８３の近傍には、固定穴９８が夫々設けられる。これら一対の固定穴９８から右側方（前方から見て左側方）に離間する位置には、固定穴９９が夫々設けられる。これら一対の固定穴９８と一対の固定穴９９は、移動支持部６０のユニット支持部６２の右端部に設けられた一対の固定穴６８と一対の固定穴６８Ａとに夫々対応し、螺子が夫々締結される。これにより、開口部１８９を塞ぐようにして、移動支持部６０のユニット支持部６２が、後ケース１８０に固定される（図５参照）。
【００５２】
支持部材１１１，１１２、スライダ１１５，１１６、連結部材１１８，１１９、コロ部材９５Ａ，９５Ｂの夫々の取付構造を説明する。支持部材１１１は、ガイド板１４０のガイド穴１４１に対して前方から位置決めされる。支持部材１１１は、ガイド穴１４１に対して平行に延びる略長方形の板状に形成される。支持部材１１１の背面であって、ガイド穴１４１の基端部側に位置する一端側には、後方に突出する軸部１１１Ａが設けられる。支持部材１１１とガイド穴１４１の間には、板状のスライダ１１５が介在する。スライダ１１５は、ガイド穴１４１に沿って摺動可能である。スライダ１１５には穴部が設けられる。支持部材１１１の軸部１１１Ａは、スライダ１１５の穴部を介して、ガイド穴１４１に前方から挿入される。それ故、支持部材１１１は、スライダ１１５を介して、ガイド穴１４１に沿って移動自在に取り付けられる。支持部材１１１の前面には、第一装飾部材９１の背面に設けられた固定部９１１（図１０参照）が螺子で固定される。よって、第一装飾部材９１は、支持部材１１１とスライダ１１５を介して、ガイド穴１４１に沿って移動可能に支持される。なお、上記の通り、第一装飾部材９１の背面に設けられた被ガイド軸９１２は、前ケース１２０に設けられたガイド穴１２０Ａに沿って移動するので、ガイド穴１４１と同一方向にガイドされる。それ故、第一装飾部材９１は安定して移動できる。
【００５３】
さらに、支持部材１１１の軸部１１１Ａは、ガイド板１４０のガイド穴１４１から後方に突出する。ガイド穴１４１とカム板１６０の溝カム１６１との間には、連結部材１１８が介在する。連結部材１１８は、ガイド穴１４１を介して、スライダ１１５と螺子で連結され、ガイド穴１４１に沿って摺動可能である。連結部材１１８には穴部が設けられる。支持部材１１１の軸部１１１Ａは、連結部材１１８の穴部を介して、カム板１６０の溝カム１６１に挿入される。溝カム１６１から後方に突出する軸部１１１Ａの後端部には、コロ部材９５Ａが固定される。コロ部材９５Ａは、カム板１６０の回転に応じて、溝カム１６１に沿って移動する。
【００５４】
一方、支持部材１１２は、ガイド板１４０のガイド穴１４３に対して前方から位置決めされる。支持部材１１２は、ガイド穴１４３に対して平行に延びる略長方形の板状に形成される。支持部材１１２の背面であって、ガイド穴１４３の基端部側に位置する一端側には、後方に突出する軸部１１２Ａが設けられる。支持部材１１２とガイド穴１４３の間には、板状のスライダ１１６が介在する。スライダ１１６は、ガイド穴１４３に沿って摺動可能である。スライダ１１６には穴部が設けられる。支持部材１１２の軸部１１２Ａは、スライダ１１６の穴部を介して、ガイド穴１４３に前方から挿入される。それ故、支持部材１１２は、スライダ１１６を介して、ガイド穴１４３に沿って移動自在に取り付けられる。支持部材１１２の前面には、第二装飾部材９２の背面に設けられた固定部９２１が螺子で固定される。よって、第二装飾部材９２は、支持部材１１２とスライダ１１６を介して、ガイド穴１４３に沿って移動可能に支持される。なお、上記の通り、第二装飾部材９２の背面に設けられた被ガイド軸９２２は、前ケース１２０に設けられたガイド穴１２０Ｂに沿って移動するので、ガイド穴１４３と同一方向にガイドされる。それ故、第二装飾部材９２も安定して移動できる。
【００５５】
さらに、支持部材１１２の軸部１１２Ａは、ガイド板１４０のガイド穴１４３から後方に突出する。ガイド穴１４３とカム板１６０の溝カム１６３との間には、連結部材１１９が介在する。連結部材１１９は、ガイド穴１４３を介して、スライダ１１６と螺子で連結され、ガイド穴１４３に沿って摺動可能である。連結部材１１９には穴部が設けられる。支持部材１１２の軸部１１２Ａは、連結部材１１９の穴部を介して、カム板１６０の溝カム１６３に挿入される。溝カム１６３から後方に突出する軸部１１２Ａの後端部には、コロ部材９５Ｂが固定される。コロ部材９５Ｂは、カム板１６０の回転に応じて、溝カム１６３に沿って移動する。
【００５６】
第一バネ１３１、第二バネ１３２、バネ係止部材１３５，１３６、連結部材１３７，１３８、コロ部材９６Ａ，９６Ｂの夫々の取付構造を説明する。第一バネ１３１はコイル状のバネである。第一バネ１３１は、一端部１３１Ａと他端部１３１Ｂを備える。第一バネ１３１の一端部１３１Ａは、前ケース１２０の背面右側に設けられたバネ係止部１２８に係止する。他端部１３１Ｂは、バネ係止部材１３５に係止する。バネ係止部材１３５は、ガイド板１４０のガイド穴１４４に対して前方から位置決めされる。バネ係止部材１３５は、ガイド穴１４４に沿って摺動可能である。ガイド穴１４４とカム板１６０の溝カム１６４との間には、連結部材１３７が介在する。連結部材１３７は、ガイド穴１４４を介して、バネ係止部材１３５と螺子で連結され、ガイド穴１４４に沿って摺動可能である。連結部材１３７には、後方に突出する軸部１３７Ａが設けられる。軸部１３７Ａは、カム板１６０の溝カム１６４に挿入される。溝カム１６４から後方に突出する軸部１３７Ａの後端部には、コロ部材９６Ａが固定される。コロ部材９６Ａは、カム板１６０の回転に応じて、溝カム１６４に沿って移動する。
【００５７】
一方、第二バネ１３２もコイル状のバネである。第二バネ１３２は、一端部１３２Ａと他端部１３２Ｂを備える。第二バネ１３２の一端部１３２Ａは、前ケース１２０の背面左側に設けられたバネ係止部１２９に係止する。他端部１３２Ｂは、バネ係止部材１３６に係止する。バネ係止部材１３６は、ガイド板１４０のガイド穴１４２に対して前方から位置決めされる。バネ係止部材１３６は、ガイド穴１４２に沿って摺動可能である。ガイド穴１４２とカム板１６０の溝カム１６２との間には、連結部材１３８が介在する。連結部材１３８は、ガイド穴１４２を介して、バネ係止部材１３６と螺子で連結され、ガイド穴１４２に沿って摺動可能である。連結部材１３８には、後方に突出する軸部１３８Ａが設けられる。軸部１３８Ａは、カム板１６０の溝カム１６２に挿入される。溝カム１６２から後方に突出する軸部１３８Ａの後端部には、コロ部材９６Ｂが固定される。コロ部材９６Ｂは、カム板１６０の回転に応じて、溝カム１６２に沿って移動する。
【００５８】
図１３，図１４を参照し、演出装置３０の動作を説明する。本実施形態では、演出装置３０の動作の流れを三段階に分けて順に説明する。
【００５９】
−第一段階−
図１３に示すように、第一段階は、演出装置３０の動作開始時である。装飾ユニット８０は、第一装飾部材９１と第二装飾部材９２が近接して装飾体９０を構成した状態で、駆動機構部４０の最上部である初期位置に配置される。
【００６０】
筐体部８００の内部では、ガイド板１４０は、図１１に示す上下左右の向きの状態で、前ケース１２０に対して固定される。それ故、ガイド穴１４１は、軸穴１４５側から右上方向に傾斜して延び、ガイド穴１４２は、軸穴１４５側から左上方向に傾斜して延び、ガイド穴１４３は、軸穴１４５側から右下方向に傾斜して延び、ガイド穴１４４は、軸穴１４５側から左下方向に傾斜して延びる。これらガイド穴１４１〜１４４の位置と方向は、筐体部８００において変わらない。
【００６１】
これに対し、カム板１６０は、回転軸１７１に対して回転可能に設けられる。図１３に示すように、ガイド穴１４１と溝カム１６１の夫々の基端部が互いに重なり、ガイド穴１４２と溝カム１６２の夫々の基端部が互いに重なり、ガイド穴１４３と溝カム１６３の夫々の基端部が互いに重なり、ガイド穴１４４と溝カム１６４の夫々の基端部が互いに重なっている。ガイド穴１４１と溝カム１６１の互いに重なる夫々の基端部には、コロ部材９５Ａが配置される。ガイド穴１４２と溝カム１６２の互いに重なる夫々の基端部には、コロ部材９６Ｂが配置される。ガイド穴１４３と溝カム１６３の互いに重なる夫々の基端部には、コロ部材９５Ｂが配置される。ガイド穴１４４と溝カム１６４の互いに重なる夫々の基端部には、コロ部材９６Ａが配置される。
【００６２】
第一バネ１３１は、バネ係止部１２８を基点にして、コロ部材９６Ａを右方に付勢する。第二バネ１３２は、バネ係止部１２９を基点にして、コロ部材９６Ｂを左方に付勢する。それ故、カム板１６０は、第一バネ１３１と第二バネ１３２によって、背面視時計回りに回動するように常時付勢されるが、カム板１６０の当接部１６８が、ガイド板１４０の突起部１４６に右方から当接し、カム板１６０の当接部１６９が、ガイド板１４０の突起部１４７に左方から当接するので、カム板１６０は、図１３に示す状態で位置が保持される。
【００６３】
その結果、コロ部材９５Ａは、ガイド穴１４１の基端部の位置に押し込まれ、コロ部材９５Ｂは、ガイド穴１４３の基端部の位置に押し込まれ、コロ部材９６Ａは、ガイド穴１４４の基端部の位置に押し込まれ、コロ部材９６Ｂは、ガイド穴１４２の基端部の位置に押し込まれる。これにより、第一装飾部材９１と第二装飾部材９２は、筐体部８００の中央に互いに引き寄せられて近接した状態となるので、装飾体９０が構成される。なお、第一段階では、ギア１７０に設けられた係止部１７２は、カム板１６０の背面に設けられた被当接部１６７に対して左側に隣接して位置する（図１３に示すＫ１位置参照）。
【００６４】
−第二段階−
第二段階では、モータ２７（図５参照）が駆動し、装飾ユニット８０が下方に移動を開始する。モータ２７が駆動すると、回転軸５５と共にピニオンギア５６（図６参照）が正面視時計回りに回転する。ピニオンギア５６の回転により、該ピニオンギア５６に噛合するラックギア６５が下方に移動する。これにより、ラックギア６５と共に移動支持部６０が下方に移動する。そして、移動支持部６０が下方に移動するに従い、支持本体部４１の右側面に設けられた直線ギア４５に噛合するギア７１が回転する。これに伴い、ギア７２が回転するので、装飾ユニット８０のギア１７０は背面視反時計回りに回転する。
【００６５】
このとき、図１３に示すように、筐体部８００の内部では、ギア１７０に設けられた係止部１７２も回転軸１７１を中心に反時計回りに回動する。しかしながら、係止部１７２は、カム板１６０の被当接部１６７と当接するまでの間、カム板１６０は回転せず、第一バネ１３１と第二バネ１３２の付勢によってその位置を保持する。つまり、係止部１７２が回転軸１７１の周囲をほぼ一周し、カム板１６０の被当接部１６７の右側に当接するまでは、カム板１６０は動かない。よって、装飾ユニット８０は、第一装飾部材９１と第二装飾部材９２が互いに近接した状態のままで、下方に移動する。
【００６６】
−第三段階−
第三段階では、装飾ユニット８０が下方にさらに移動し、表示画面２８の中央に差し掛かる手前で、係止部１７２が回転軸１７１の周囲をほぼ一周し、カム板１６０の被当接部１６７の右側に当接する（図１３に示すＫ２位置参照）。ギア１７０が反時計回りに回転し続けるので、係止部１７２は、第一バネ１３１と第二バネ１３２のバネ力に反して、被当接部１６７をそのまま反時計回りに押し込む（図１４に示すＫ３位置参照）。これにより、カム板１６０は、反時計回りに回転し始める。カム板１６０の当接部１６８は、ガイド板１４０の突起部１４６から右方に離間し、カム板１６０の当接部１６９は、ガイド板１４０の突起部１４７から左方に離間する。
【００６７】
カム板１６０の回転に伴い、ガイド板１４０のガイド穴１４１〜１４４に対して、カム板１６０の溝カム１６１〜１６４の位置が変わる。例えば、第一、第二段階では、ガイド穴１４１の基端部と溝カム１６１の基端部とが互いに重なっていたが（図１３参照）、この状態からカム板１６０のみが反時計回りに回転すると、図１４に示すように、ガイド穴１４１と溝カム１６１とが重なる重複位置が、ガイド穴１４１の外端部に向かって徐々に移動する。この重複位置に、第一装飾部材９１と一体して移動するコロ部材９５Ａが位置する。即ち、重複位置の移動に伴い、コロ部材９５Ａは、溝カム１６１の内縁部によってガイド穴１４１の外端部に向けて徐々に押し上げられるので、第一装飾部材９１は、右斜め上方に移動する。
【００６８】
一方、ガイド穴１４３と溝カム１６３とが重なる重複位置も、ガイド穴１４３の外端部に向かって徐々に移動する。この重複位置に、第二装飾部材９２と一体して移動するコロ部材９５Ｂが位置する。即ち、重複位置の移動に伴い、コロ部材９５Ｂは、溝カム１６３の内縁部によってガイド穴１４３の外端部に向けて徐々に押し上げられるので、第二装飾部材９２は、左斜め下方に移動する。即ち、装飾ユニット８０が下方に移動し、表示画面２８の中央に差し掛かる手前から、第一装飾部材９１は右斜め上方に、第二装飾部材９２は左斜め下方に移動し、徐々に互いに離れていく（図２参照）。これにより、装飾体９０が第一装飾部材９１と第二装飾部材９２に分離される様子を、遊技者が想定する自然な動きとは違った特殊な動きで表現できる。
【００６９】
また、ガイド穴１４４と溝カム１６４とが重なる重複位置も、ガイド穴１４４の外端部に向かって徐々に移動する。この重複位置に、バネ係止部材１３５と一体して移動するコロ部材９６Ａが位置する。即ち、重複位置の移動に伴い、コロ部材９６Ａは、溝カム１６４の内縁部によってガイド穴１４４の外端部に向けて徐々に押し上げられるので、バネ係止部材１３５は、左斜め下方に移動する。これにより、第一バネ１３１は、バネ係止部１２８を基点に、左斜め下方に引っ張られる。
【００７０】
一方、ガイド穴１４２と溝カム１６２とが重なる重複位置も、ガイド穴１４２の外端部に向かって徐々に移動する。この重複位置に、バネ係止部材１３６と一体して移動するコロ部材９６Ｂが位置する。即ち、重複位置の移動に伴い、コロ部材９６Ｂは、溝カム１６２の内縁部によってガイド穴１４２の外端部に向けて徐々に押し上げられるので、バネ係止部材１３６は、右斜め上方に移動する。これにより、第二バネ１３２は、バネ係止部１２９を基点に、右斜め上方に引っ張られる。即ち、筐体部８００の内側の狭い空間内において、カム板１６０の回転に応じて、第一バネ１３１の他端部１３１Ｂと、第二バネ１３２の他端部１３２Ｂの夫々の位置を、回転軸１７１を挟んで対角の方向に離間させることで、第一バネ１３１と第二バネ１３２は互いに交差することなく、略平行な位置関係を保持できる。
【００７１】
また、本実施形態では、カム板１６０の回転に合わせ、溝カム１６１，１６３に挿入されたコロ部材９５Ａ，９５Ｂを移動させるだけでなく、溝カム１６４，１６２に挿入されたコロ部材９６Ａ，９６Ｂも移動させるので、カム板１６０は、コロ部材９５Ａ，９５Ｂ，９６Ａ，９６Ｂによってバランス良く支持された状態となるので、カム板１６０を安定して回転させることができる。カム板１６０の回転を安定化できるので、これによって移動される第一装飾部材９１及び第二装飾部材９２を安定して移動できる。
【００７２】
そして、装飾ユニット８０が表示画面２８の中央まで移動し、装飾ユニット８０を支持する移動支持部６０の当接部６６（図６参照）が、支持本体部４１の段部５１に固定されたストッパ５２（図６参照）に当接すると、装飾ユニット８０は、支持本体部４１の開口４６（図６参照）における移動範囲の最下端位置で停止する。このとき、第一装飾部材９１と第二装飾部材９２は、最大限の距離で離間する。
【００７３】
図１４に示すように、筐体部８００の内部では、カム板１６０がさらに反時計回りに回転することによって、ガイド穴１４１〜１４４と溝カム１６１〜１６４とが夫々重なる重複位置が、ガイド穴１４１〜１４４の夫々の外端部まで移動する。これにより、コロ部材９５Ａと９５Ｂは、ガイド穴１４１と１４３の夫々の外端部の位置で停止するので、第一装飾部材９１と第二装飾部材９２の移動は停止する。この状態では、コロ部材９５Ａは、溝カム１６１の屈曲部１６１Ａに嵌り込み、ガイド穴１４１との間でロックして保持された状態となる。コロ部材９５Ｂも、溝カム１６３の屈曲部１６３Ａに嵌り込み、ガイド穴１４３との間でロックして保持された状態となる。これにより、コロ部材９５Ａと９５Ｂは、ガイド穴１４１〜１４４の夫々の外端部の位置で確実に位置決めされるので、第一装飾部材９１と第二装飾部材９２は、互いに最も離れた位置で安定して位置決めされる。このように、第一装飾部材９１と第二装飾部材９２は互いに離れた位置で確実に停止するので、夫々の動きをシャープに見せることができる。
【００７４】
さらに、第一装飾部材９１と第二装飾部材９２が停止すると同時に、それまで反時計回りに回転していたカム板１６０のうち、溝カム１６１の外側にある外側部１６１Ｂは、ガイド板１４０の上部に設けられた突起部１４６に対して左下方から当接し、溝カム１６３の外側にある外側部１６３Ｂは、ガイド板１４０の下部に設けられた突起部１４７に対して右上方から当接する。これにより、カム板１６０の反時計回りの回転は停止する。これにより、カム板１６０が回転し過ぎるのを防止できる。
【００７５】
本実施形態では、例えば、大当たり等の遊技状態に応じて、演出装置３０を駆動させることができる。上記のように、演出装置３０を駆動させると、表示画面２８の上部に配置された装飾ユニット８０が下方に移動を開始する。そして、その移動する途中から、第一装飾部材９１と第二装飾部材９２が分離し始め、第一装飾部材９１は右斜め上方に、第二装飾部材９２は左斜め下方に互いに離れていく。装飾ユニット８０が表示画面２８の中央まで下がって停止したときには、第一装飾部材９１と第二装飾部材９２は最大限に離れた状態となる。このとき、遊技者から見て真正面に、装飾体９０が完全に分離した第一装飾部材９１と第二装飾部材９２を配置できるので、遊技者の遊技意欲を向上させることができる。
【００７６】
そして、上述のように、演出装置３０は、駆動開始から駆動終了までの間に、（１）装飾ユニット８０の移動、（２）第一装飾部材９１と第二装飾部材９２の移動、の２つの動作を一連の流れとして実行するので、複合的な演出動作をテンポよく効果的に行うことができる。そして、本実施形態は特に、これらの複数の動作を一つのモータ２７で行うことができるので、電力消費の節約、モータにかかる部品コストの節約、演出装置３０の構造の簡素化等を図ることができる。
【００７７】
また、本実施形態では、ギア１７０に設けられた係止部１７２は、回転軸１７１が回転する際の係止部１７２の回動範囲において、その回動範囲の移動開始位置から離間する位置で、カム板１６０に設けられた被当接部１６７と係止するようになっている。これにより、装飾ユニット８０が下方向に移動を開始した直後は、回転軸１７１が反時計回りに回転を開始するが、係止部１７２が被当接部１６７と係止するまでは、カム板１６０は回転しない。よって、第一装飾部材９１と第二装飾部材９２は動かないので、装飾ユニット８０は、装飾体９０の状態のままで下方に移動する。そして、回転軸１７１が反時計回りにさらに回転し、係止部１７２が被当接部１６７と係止することによって、カム板１６０が反時計回りに回転を開始し、第一装飾部材９１と第二装飾部材９２が動き出す。このような構造とすることで、第一装飾部材９１と第二装飾部材９２が動き出すタイミングを、装飾ユニット８０が下方に移動するタイミングに対してずらすことができる。よって、装飾ユニット８０と、第一装飾部材９１及び第二装飾部材９２を段階的に動作させることができ、特有の演出効果を奏することができる。
【００７８】
また、カム板１６０に設けられた溝カム１６１〜１６４は、背面視反時計回り方向側に若干膨らむ略円弧状に形成されているので、カム板１６０が回転軸１７１を中心に反時計回り方向に回転する場合に、コロ部材９５Ａ，９５Ｂ、９６Ａ，９６Ｂを溝カム１６１〜１６４に沿って滑らかに摺動させることができる。これにより、第一装飾部材９１及び第二装飾部材９２を自然且つ滑らかに移動させることができる。
【００７９】
なお、詳述しないが、最下端位置まで下がった装飾ユニット８０を上昇させるには、演出装置３０のモータ２７を逆回転させればよい。この場合、上記一連の動作とは反対の動作が行われる。ギア１７０は下降時とは逆に、背面視時計回りに回転するので、係止部１７２は回転軸１７１を中心に時計回りに回動する。このとき、第一バネ１３１と第二バネ１３２のバネ力により、カム板１６０は時計回りに付勢されて回転するので、コロ部材９５Ａ，９５Ｂ、９６Ａ，９６Ｂは、ガイド穴１４１〜１４４の夫々の基端部側に移動する。これにより、第一装飾部材９１は右斜め下方に移動し、第二装飾部材９２は左斜め上方に移動する。そして、カム板１６０が元の位置に戻ったときに、第一装飾部材９１と第二装飾部材９２が近接して装飾体９０を構成する。その状態で、装飾ユニット８０は上方に移動し続け、初期位置で停止する（図１参照）。
【００８０】
以上説明したように、本実施形態のパチンコ機１は、演出装置３０を遊技盤２の前面に備える。演出装置３０は、第一装飾部材９１、第二装飾部材９２、回転軸１７１、ガイド板１４０、カム板１６０を備える。第一装飾部材９１及び第二装飾部材９２は、装飾体９０を左右に二分割した形状を有する。回転軸１７１は、モータ２７の動力で間接的に回転するギア１７０の回転軸である。ガイド板１４０は、第一装飾部材９１と第二装飾部材９２を支持する筐体部８００の内部に設けられ、第一装飾部材９１と第二装飾部材９２を左右方向に対して斜めに交差する所定方向に移動可能に支持する。カム板１６０は、回転軸１７１の動力を、第一装飾部材９１及び第二装飾部材９２を所定方向において互いに接触及び離間させる動力に変換する。
【００８１】
上記構成を備えるパチンコ機１は、第一装飾部材９１及び第二装飾部材９２が互いに近付いた状態から互いに離れる方向に移動させることで、一の装飾体９０があたかも分割されたような演出を行うことができる。一のモータ２７の駆動で、第一装飾部材９１及び第二装飾部材９２を移動させる動力に変換するので、第一装飾部材９１及び第二装飾部材９２をタイミング良く移動させることができる。第一装飾部材９１及び第二装飾部材９２は、左右方向に対して斜めに交差する所定方向に移動するので、左右方向において狭い領域においても、演出装置３０を取り付けることができる。
【００８２】
また、仮に一の物体を左右に二分割する場合、通常、左右に二分割された小物体を左右方向にそのまま離れさせるか、若しくは左右に二分割された二つの小物体をある基点を中心に互いに離れるように夫々を回転させて扇形に開くような動きを連想する。これに対し、本実施形態では、第一装飾部材９１及び第二装飾部材９２を、左右方向に対して斜めに交差する所定方向において互いに接触及び離間させる。即ち、第一装飾部材９１及び第二装飾部材９２の夫々の分割面９１５，９２５が互いに上下方向にずれながら斜め方向に離れていくので、遊技者が想定する自然な動きとは違った特殊な動きで、一の装飾体９０が分割して二つの第一装飾部材９１及び第二装飾部材９２になる過程を表現できる。それ故、本実施形態は、演出効果の高い演出装置３０を備えたパチンコ機１を提供できる。
【００８３】
また、上記実施形態のガイド板１４０は、回転軸１７１を中心に径方向に延び、回転軸１７１の回転によっては回転しない。ガイド板１４０は、回転軸１７１を回転自在に挿入する軸穴１４５を挟んで対角の位置に、ガイド穴１４１，１４３を備える。ガイド穴１４１は、回転軸１７５側から左斜め上方に延び、第一装飾部材９１に間接的に取り付けられたコロ部材９５Ａを移動可能に案内する。ガイド穴１４３は、回転軸１７５側から右斜め下方に延び、第二装飾部材９２の背面に設けられたコロ部材９５Ｂを移動可能に案内する。カム板１６０は、回転軸１７１を中心に径方向に延び、回転軸１７１と共に回転する。カム板１６０は、回転軸１７１を回転自在に挿入する軸穴１６５を挟んで対角の位置に、溝カム１６１，１６３を備える。
【００８４】
溝カム１６１は、コロ部材９５Ａを摺動可能に係止させる。溝カム１６３は、コロ部材９５Ｂを摺動可能に係止させる。第一装飾部材９１及び第二装飾部材９２が互いに接触して装飾体９０を形成する初期状態から回転軸１７５が回転する方向は、図１３，図１４において反時計回りである。初期状態のカム板１６０を回転軸１７５の軸方向から見た場合に、溝カム１６１は、ガイド穴１４１の回転軸１７１側の基端部に対応する位置から径方向外側にかけて、ガイド穴１４１の長さ方向に対して時計回り側に傾斜して延設されている。溝カム１６３は、ガイド穴１４３の回転軸１７１側の基端部に対応する位置から径方向外側にかけて、ガイド穴１４３の長さ方向に対して時計回り側に傾斜して延設されている。
【００８５】
これにより、第一装飾部材９１及び第二装飾部材９２は、ガイド板１４０における回転軸１７５を中央にして、所定方向に移動可能に案内される。ガイド板１４０は、回転軸１７５の回転によっては回転しないので、第一装飾部材９１及び第二装飾部材９２の夫々の移動軌跡は変わらない。一方、カム板１６０は、回転軸１７５と共に回転する。初期状態から回転軸１７５が反時計回りに回転すると、カム板１６０も第一方向反時計回りに回転する。このとき、ガイド穴１４１に対して溝カム１６１が回転軸１７５を中心に反時計回りに回動する。溝カム１６１は、ガイド穴１４１の基端部に対応する位置から時計回り側に傾斜して延設されている。それ故、溝カム１６１が時計回りに回動するにつれて、コロ部材９５Ａは溝カム１６１によって径方向外側に向けて押し出され、ガイド穴１４１に沿って径方向外側に移動する。
【００８６】
これに対し、ガイド穴１４３に対して溝カム１６３も回転軸１７５を中心に反時計回りに回動する。溝カム１６３は、ガイド穴１４３の基端部に対応する位置から時計回り側に傾斜して延設されている。それ故、溝カム１６３が反時計回りに回動するにつれて、コロ部材９５Ｂは溝カム１６３によって径方向外側に向けて押し出され、ガイド穴１４３に沿って径方向外側に移動する。これにより、第一装飾部材９１及び第二装飾部材９２を、一つのモータ２７で、所定方向において互いに離れる方向にタイミング良く移動させることができる。
【００８７】
また、上記実施形態において、溝カム１６１の径方向外側の一端部には、時計回り側にさらに屈曲する屈曲部１６１Ａが設けられる。溝カム１６３の径方向外側の一端部にも、時計回り側にさらに屈曲する屈曲部１６３Ａが設けられる。カム板１６０が回転軸１７５と共に反時計回りに回転すると、第一装飾部材９１と一体して移動するコロ部材９５Ａは、ガイド穴１４１の外端部側まで移動すると共に、溝カム１６１の屈曲部１６１Ａまで移動する。このとき、コロ部材９５Ａは、ガイド穴１４１の外端部と、溝カム１６１の屈曲部１６１Ａとに挟まれて保持された状態となる。一方、第二装飾部材９２と一体して移動するコロ部材９５Ｂは、ガイド穴１４３の外端部側まで移動すると共に、溝カム１６３の屈曲部１６３Ａまで移動する。このとき、コロ部材９５Ｂは、ガイド穴１４３の外端部と、溝カム１６３の屈曲部１６３Ａとに挟まれて保持された状態となる。これにより、第一装飾部材９１及び第二装飾部材９２は、径方向外側に最大限に移動した位置で安定して位置決めできる。
【００８８】
なお、上記説明において、モータ２７は本発明の「モータ」の一例である。ギア１７０の回転軸１７１は、本発明の「回転軸」の一例である。コロ部材９５Ａは本発明の「第一被案内部」の一例である。ガイド板１４０のガイド穴１４１は本発明の「第一ガイド穴」の一例である。コロ部材９５Ｂは本発明の「第二被案内部」の一例である。ガイド穴１４３は本発明の「第二ガイド穴」の一例である。カム板１６０の溝カム１６１は、本発明の「第一溝カム」の一例である。溝カム１６１の屈曲部１６１Ａは、本発明の「第一屈強部」の一例である。溝カム１６３は、本発明の「第二溝カム」の一例である。溝カム１６３の屈曲部１６３Ａは、本発明の「第二溝カム」の一例である。
【００８９】
なお、本発明は、上記の実施形態に限定されるものではなく、種々の変更が可能である。例えば、上記実施形態の演出装置３０では、移動支持部６０を用いて装飾ユニット８０を上下方向に移動させるが、上下方向に限らず、例えば、左右方向、斜め方向等に移動させてもよい。
【００９０】
また、上記実施形態の演出装置３０では、第一装飾部材９１及び第二装飾部材９２を左右方向に対して斜めに交差する方向に移動可能に支持するが、例えば、第一装飾部材９１及び第二装飾部材９２を上下方向に対して斜めに交差する方向に移動可能に支持してもよい。
【００９１】
また、演出装置３０の筐体部８００、装飾体９０、第一装飾部材９１、第二装飾部材９２の夫々の形状は、上記実施形態の形状に限らず、自由に変更可能である。
【００９２】
また、上記実施形態のガイド板１４０のガイド穴１４２，１４４と、カム板１６０の溝カム１６２，１６３は省略してもよい。
【００９３】
また、上記実施形態では、例えば、パチンコ機１が特定の遊技状態になった時に、演出装置３０を駆動させる。その時の動作の一例として、上述のように、装飾ユニット８０を下方に連続的に移動させることによって、第一装飾部材９１及び第二装飾部材９２を分離して移動させることができるが、例えば、装飾ユニット８０を上下に小刻みに移動させることによって、第一装飾部材９１及び第二装飾部材９２を小刻みに接触又は離間させることもできる。
【００９４】
また、上記実施形態では、駆動機構部４０の支持本体部４１の上壁の下面に金属板５３を取り付けているが、金属板５３は磁石でもよい。また、支持本体部４１の上壁の下面に磁石５４を取り付け、移動支持部６０の上部に金属板５３を取り付けてもよい。
【００９５】
また、上記実施形態では、装飾ユニット８０を初期位置から下方に移動を開始し、表示画面２８の中央に差し掛かる第三段階で、ギア１７０に設けられた係止部１７２が、カム板１６０に設けられた被当接部１６７に係止するようになっているが、第一段階から係止部１７２を被当接部１６７に係止させるようにしてもよい。この場合、装飾ユニット８０が下方に移動を開始した時から、第一装飾部材９１及び第二装飾部材９２を分離して移動させることができるので、上記実施形態とは異なる動作をさせることができる。
【００９６】
また、上記実施形態では、装飾ユニット８０のギア１７０は、ギア７１，７２を介して、直線ギア４５と間接的に噛合するが、例えば、移動支持部６０のユニット支持部６２を省略し、ギア１７０と直線ギア４５を直接噛合させてもよい。
【００９７】
なお、請求項、明細書および図面に記載される全ての要素（例えば、演出装置、図柄表示部、電動役物、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示画面」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００９８】
１    パチンコ機
２７    モータ
３０    演出装置
９０    装飾体
９１    第一装飾部材
９２    第二装飾部材
９５Ａ，９５Ｂ  コロ部材
１４０    ガイド板
１４１，１４３    ガイド穴
１６０    カム板
１６１，１６３    溝カム
１６１Ａ，１６３Ａ  屈曲部
８００      筐体部
【図１】
2018187242.tif 000003
【図２】
2018187242.tif 000004
【図３】
2018187242.tif 000005
【図４】
2018187242.tif 000006
【図５】
2018187242.tif 000007
【図６】
2018187242.tif 000008
【図７】
2018187242.tif 000009
【図８】
2018187242.tif 000010
【図９】
2018187242.tif 000011
【図１０】
2018187242.tif 000012
【図１１】
2018187242.tif 000013
【図１２】
2018187242.tif 000014
【図１３】
2018187242.tif 000015
【図１４】
2018187242.tif 000016